(57)【要約】【課題】両頭構造の繰出式多芯筆記具に高級感を持たせ、且つ使用時において、必要な筆記体の筆記先端のみを選択的に突出させることができる構造のものを提供することを目的とする。【解決手段】互いが対極の位置にある一端軸と他端軸とを中間軸にて回転可能に連結した軸筒内に、複数の摺動溝を有する二つの摺動筒を前記一端軸側と他端軸側とにそれぞれ固設し、前記摺動筒の摺動溝の各々に、後部に各々摺動体を装着した複数の筆記体を弾性体で当該筆記体の筆記先端と反対方向へ弾発させて配し、前記中間軸の内側に前記軸筒の軸心と沿った方向に変位するカム斜面を有したカム部を前記一端軸側および他端軸側の両側に設け、前記中間軸を前記一端軸または他端軸に対して回転させることで、前記摺動体を前記中間軸のカム斜面に摺接させて前進させ、当該摺動体が装着された筆記体の筆記先端を、前記一端軸または他端軸に設けた先端開口部より突出させる構造。【選択図】図３
2008307803.tif 000002
【特許請求の範囲】
【請求項１】
軸筒内に複数の筆記体を収容し、前記軸筒の一端側と他端側とに設けた先端開口部より前記筆記体を突出させる構造の両頭回転繰出式複合筆記具であって、互いが対極の位置にある一端軸と他端軸とを中間軸にて回転可能に連結した軸筒内に、複数の摺動溝を有する二つの摺動筒を前記一端軸側と他端軸側とにそれぞれ固設し、前記摺動筒の摺動溝の各々に、後部に各々摺動体を装着した複数の筆記体を弾性体で当該筆記体の筆記先端と反対方向へ弾発させて配し、前記中間軸の内側に前記軸筒の軸心と沿った方向に変位するカム斜面を有したカム部を前記一端軸側および他端軸側の両側に設け、前記中間軸を前記一端軸または他端軸に対して回転させることで、前記摺動体を前記中間軸のカム斜面に摺接させて前進させ、当該摺動体が装着された筆記体の筆記先端を、前記一端軸または他端軸に設けた先端開口部より突出させる構造を特徴とする両頭回転繰出式多芯筆記具。
【請求項２】
前記一端軸および他端軸に、前記軸筒内の複数の筆記体に対応する複数のマークを設け、且つ前記中間軸の両端に、前記マークの位置に応じて筆記体の筆記先端を繰り出す位置合わせ用の目印を設けたことを特徴とする請求項１に記載の両頭回転繰出式多芯筆記具。
【発明の詳細な説明】
【技術分野】
【０００１】
本発明は、軸筒の両端に先端開口部を有し、内部に収容した複数の筆記体を軸筒の先端開口部から突出させる構造の両頭回転繰出式多芯筆記具に関する。
【背景技術】
【０００２】
従来より、軸筒内に収容してある複数の筆記体を使用時に軸筒の先端開口部より突出させて使用する構造の筆記具はよく知られており、特に軸筒内に収容する筆記体の本数を多くしたい場合には、実開平４−１３５３８８号公報や実開平１−１５６０８８号公報に開示されているように、軸筒の両端を利用して筆記体を突出させる構造が適している。このように軸筒の両端を利用して筆記体を突出させる構造は、筆記体の筆記先端を軸筒の一方のみより突出させる構造の筆記具に対し同数の筆記体を収容させたものに比較して軸径を細くできるというメリットがある。
【特許文献１】「実開平４−１３５３８８号公報」
【特許文献２】「実開平１−１５６０８８号公報」
【発明の開示】
【発明が解決しようとする課題】
【０００３】
ところで、実開平４−１３５３８８号公報に開示されているものは、軸筒の側面に設けた長孔より突出させているスライド釦を、長孔に沿って前進させることにより、当該スライド釦に連動した筆記体の筆記先端を、軸筒の両端のいずれかから突出させる構造であるが、このようなスライド式の繰出構造は低価格の筆記具に採用されているのが現状であり、筆記具に高級感を与えることが難しかった。
【０００４】
また、実開平１−１５６０８８号公報に開示されているものは、軸筒が中央部で二分された構造であり、一方の軸を他方の軸に対して回転させることにより、対称的に設けたカム斜面を同時に回転させ、軸筒両端の先端開口部より異なる色の筆記体の筆記先端を同時に突出させてしまう構造のため、使用時に目的としない筆記体の筆記先端まで突出させてしまうという問題があり、使用者が筆記体を繰り出す際に気を付けていないと手を汚してしまったり、傷付けてしまう虞があった。
【０００５】
本発明はこうした問題を鑑みて、両頭構造の繰出式多芯筆記具に高級感を持たせ、且つ使用時において、必要な筆記体の筆記先端のみを選択的に突出させることができる構造のものを提供することを目的とする。
【課題を解決するための手段】
【０００６】
本発明は、
「１．軸筒内に複数の筆記体を収容し、前記軸筒の一端側と他端側とに設けた先端開口部より前記筆記体を突出させる構造の両頭回転繰出式複合筆記具であって、互いが対極の位置にある一端軸と他端軸とを中間軸にて回転可能に連結した軸筒内に、複数の摺動溝を有する二つの摺動筒を前記一端軸側と他端軸側とにそれぞれ固設し、前記摺動筒の摺動溝の各々に、後部に各々摺動体を装着した複数の筆記体を弾性体で当該筆記体の筆記先端と反対方向へ弾発させて配し、前記中間軸の内側に前記軸筒の軸心と沿った方向に変位するカム斜面を有したカム部を前記一端軸側および他端軸側の両側に設け、前記中間軸を前記一端軸または他端軸に対して回転させることで、前記摺動体を前記中間軸のカム斜面に摺接させて前進させ、当該摺動体が装着された筆記体の筆記先端を、前記一端軸または他端軸に設けた先端開口部より突出させる構造を特徴とする両頭回転繰出式多芯筆記具。
２．前記一端軸および他端軸に、前記軸筒内の複数の筆記体に対応する複数のマークを設け、且つ前記中間軸の両端に、前記マークの位置に応じて筆記体の筆記先端を繰り出す位置合わせ用の目印を設けたことを特徴とする１項に記載の両頭回転繰出式多芯筆記具。」
である。
【０００７】
さらに詳しくは、一端軸および他端軸の双方に摺動筒を固設し、複数の筆記体の各々に摺動体を装着し、前記摺動筒に形成した摺動溝に前記摺動体を配設し、該摺動体に設けた突部を前記摺動溝より突出するよう配し、双方の摺動筒に形成した係止部を一端軸および他端軸の間に位置する中間軸の係止受部に回転可能に係止させて構成する。尚、中間軸に対して一端軸および他端軸を着脱可能構造とすることで、例えば筆記体をボールペン体とした場合には、インキがなくなった際にボールペン体の交換が可能となる。この場合には、ボールペン体が摺動体より容易に着脱できるように圧入嵌合構造とするとよい。また筆記体を当該筆記体の筆記先端の反対方向へ弾発する弾性体は、軸筒の軸心に沿った方向に弾発力を有するものであればよく、例えばコイルスプリング等が簡単に用いることができる。また、カム部は山形のカム部を設けるものとし、カム斜面と前記摺動体の突部を摺接させカム斜面の傾斜により突部を前記弾性体の弾発力に抗して前進させる構造とする。さらに、中間軸の外側面に突起部を設けることで、筆記体の繰出時に回転操作がし易くなり、筆記具を机上等に置いた際に軸筒が転がり難いものとなる。
【０００８】
また２項において、一端軸および他端軸に設けるマークは、例えば筆記体を色付きのボールペン体とした場合には、そのボールペン体のインキ色と同色の塗料でマークを印刷したり、あるいはインキ色を示す文字を設けるとよい。また中間軸に設ける目印は、三角形や矢印あるいは棒状の縦線など先端が細く、一端軸および他端軸のマークに位置合わせがし易い形状が好ましい。
【発明の効果】
【０００９】
本発明は、回転繰出式であるため筆記具として高級感を持たせることができ、両頭とすることで複数の筆記体を軸筒に収容させても軸径の太さを抑えることができ、さらに一端軸と他端軸とが中間軸に対して独立して回転可能であるため、目的とする筆記体の筆記先端だけを選択して突出させることができるものとなる。さらには、一端軸および他端軸側に、繰出時に突出させる筆記体が識別できるマークを設け、且つ中間軸側に位置合わせ用の目印を設けることで、使用者は位置合わせのために目印がある中間軸を持ちながら一端軸あるいは他端軸のいずれか一方を持って回転操作することになるので、誤って一端軸と他端軸の両方を同時に持って回転させ両端から筆記体の筆記先端を突出させてしまうということを防止できるものとなる。
【発明を実施するための最良の形態】
【００１０】
次に図面を参照しながら説明を行う。本実施例においては、軸筒内に赤青黒緑の異なる４色のボールペン体を４本収容した両頭回転繰出式多芯筆記具について説明するが、本発明は以下の実施例に限定されるものではない。図中の同じ部材、同じ部品については、同じ符号としてある。尚、説明を解りやすくするため、図の左側を一端側とし右側を他端側として説明をする。
【００１１】
図１は本発明の実施例である両頭回転繰出式筆記具の姿図である。図１に示すように筆記具１の軸筒２は、一端軸３と中間軸４と他端軸５とを有している。中間軸４の中央部には突起部６ａを設けた円環部材６を装着してある。詳細は後述するが、一端軸３および他端軸５は中間軸４に対して回転可能である。中間軸４の表面に見える三角形の一端軸側目印Ｍ１と他端軸側目印Ｍ２は、軸筒２内に収容した筆記体（図示せず）を一端軸３の先端開口部３ａと他端軸５の先端開口部５ａとから繰り出す際の位置合わせ用の目印で、一端軸３に設けた赤のマーク「Ｒ」や、他端軸５に設けた黒のマーク「Ｂ」に合わせるためのものである。尚、図示はしないが、一端軸３の赤のマーク「Ｒ」の反対側には青のマーク「Ｌ」が、他端側５の黒のマーク「Ｂ」の反対側には緑のマーク「Ｇ」がある。
【００１２】
図２は本実施例の縦断面図である。図２に示すように本実施例の軸筒２は、硬質樹脂からなる一端側内軸７および他端側内軸８に、弾性材からなる一端軸側グリップ９と他端軸側グリップ１０をそれぞれ被覆すると共に、一端側グリップ９と他端側グリップ１０との間に円環部材６を挟持し、軸筒２の内部中央に配した連結筒１１に一端側内軸７と他端側内軸８とを圧入することにより一体としてある。尚、円環部材６は一端側グリップ９と他端側グリップ１０との摩擦接触により回り難い構造としてある。また一端軸３には、一端側内軸７の内部に形成した係止受部７ａに係止部１２ａを係止させた摺動筒１２を装着してある。尚、摺動筒１２は、一端軸３の内面に形成した雌螺子部３ｂに摺動筒１２の前方に形成した雄螺子部１２ｂを螺設させており、一端軸３に対し中間軸４を回転させることで、摺動筒１２に対し中間軸４を回転させることができる。同様に他端軸５には、他端側内軸８の内部に形成した係止受部８ａに係止部１３ａを係止させた摺動筒１３を装着してある。尚、摺動筒１３は、他端軸５の内面に形成した雌螺子部５ｂに摺動筒１３の前方に形成した雄螺子部１３ｂを螺設させており、一端軸５に対し中間軸４を回転させることで、摺動筒１３に対して中間軸４を回転させることができる。
【００１３】
また、一端側にある前記摺動筒１２には二つの摺動溝１２ｃ，１２ｄを形成してあり、摺動溝１２ｃには赤色のボールペン体１４を、摺動溝１２ｄには青色のボールペン体１５を、それぞれコイルスプリング１６，１７により先端開口部３ａの反対方向へ弾発させて配してある。また、他端軸側にある前記摺動筒１３には二つの摺動溝１３ｃ，１３ｄを形成してあり、摺動溝１３ｃには黒色のボールペン体１８を、摺動溝１３ｄには緑色のボールペン体１９をそれぞれコイルスプリング２０，２１により先端開口部５ａの反対方向へ弾発させて配してある。また、各々のボールペン体には摺動体２２，２３，２４，２５を装着してあり、各々の摺動体に形成した突部２２ａ，２３ａ，２４ａ，２５ａを前記摺動溝１２ｃ，１２ｄ，１３ｃ，１３ｄに形成した開口部１２ｅ，１２ｆ，１３ｅ，１３ｆより突出させてある。突部２２ａ，２３ａは、前記一端側内軸７の内面に形成した軸方向に変位するカム斜面７ｂを有するカム部７ｃに当接させ、また突部２４ａ，２５ａは、前記他端側内軸８の内側に形成した軸方向に変位するカム斜面８ｂを有するカム部８ｃに当接させてある。図に示すとおりカム部８ｃはカム部７ｃと対称形状である。
【００１４】
次に本実施例の筆記具における繰出動作についての説明を行う。図３に示すように、一端軸３に対し中間軸４を右回転（図１矢印Ｓ方向）させることで、摺動体２２の突部２２ａに当接しているカム斜面７ｂが回転して摺動体２２を前進させ、前記コイルスプリング１６を圧縮しながら一端軸３の先端開口部３ａから赤色のボールペン体１４の筆記先端１４ａを突出させることができ、一端側内軸７の先端外側面に三角形に形成した突起７ｅを一端側グリップ９に形成した三角形の孔部９ａより露出させて形成した一端軸側目印Ｍ１（図１参照）を、一端軸３の赤のマーク「Ｒ」（図１参照）に合わせることで、摺動体２２の突部２２ａをカム部７ｃの先端切欠部７ｄに係止させ、赤色のボールペン体１４の筆記先端１４ａの突出状態を維持することができた。反対に一端軸３に対し中間軸４を左回転（図１矢印Ｔ方向）させることで、一端軸３の先端開口部３ａから、青色のボールペン体１５の筆記先端１５ａを突出させることができる。
【００１５】
また、図４に示すように、他端軸５に対し中間軸４を右回転（図１矢印Ｖ方向）させることで、摺動体２５の突部２５ａに当接しているカム斜面８ｂが回転して摺動体２５を前進させ、前記コイルスプリング２１を圧縮しながら他端軸５の先端開口部５ａから緑色のボールペン体１９の筆記先端１９ａを突出させることができ、他端側内軸８の先端外側面に三角形に形成した突起８ｅを他端側グリップ１０に形成した三角形の孔部１０ａより露出させて形成した他端側目印Ｍ２（図１参照）を、他端軸５の緑のマーク「Ｇ」（図示せず）に合わせることで、摺動体２５の突部２５ａをカム部８ｃの先端切欠部８ｄに係止させ、緑色のボールペン体１９の筆記先端１９ａの突出状態を維持することができた。反対に他端軸５に対し中間軸４を左回転（図１矢印Ｕ方向）させることで、他端軸５の先端開口部５ａから黒色のボールペン体１８の筆記先端１８ａを突出させることができる。
【００１６】
尚、本実施例の一端軸側目印Ｍ１および他端側目印Ｍ２は、グリップ９，１０に設けた孔部９ａ，１０ａに対し一端側内軸７および他端側内軸８の突起７ｅ，８ｅを嵌着させる構造としたので、軸筒２を把持した際に、グリップ９，１０が回転してしまうことを防止できる構造となった。
【産業上の利用可能性】
【００１７】
本願発明による両頭回転繰出式多芯筆記具は、前述の実施例のように、軸筒内に異なる色のボールペン体を収容するもの以外にも、異なる筆記線巾であるボールペン体を収容させて利便性を向上させたり、あるいはマーカーや鉛芯繰出具など他の機能の筆記体に用いることも可能である。また筆記具以外にも、化粧具や塗布具などに利用することも可能である。
【図面の簡単な説明】
【００１８】
【図１】本発明の実施例である両頭回転繰出式筆記具の姿図である。
【図２】本実施例の縦断面図である。
【図３】一端軸に対し中間軸を右回転させた時の内部機構の状態を示す断面図である。
【図４】他端軸に対し中間軸を右回転させた時の内部機構の状態を示す断面図である。
【符号の説明】
【００１９】
１…筆記具、２…軸筒、
３…一端軸、３ａ…先端開口部、３ｂ…雌螺子部、
４…中間軸、
５…他端軸、５ａ…先端開口部、５ｂ…雌螺子部、
６ａ…突起部、６…円環部材、
Ｍ１…一端軸側目印、Ｍ２…他端側目印、
７…一端側内軸、７ａ…係止受部、７ｂ…カム斜面、７ｃ…カム部、
７ｄ…先端切欠部、７ｅ…突起、
８…他端側内軸、８ａ…係止受部、８ｂ…カム斜面、８ｃ…カム部、
８ｄ…先端切欠部、８ｅ…突起、
９…一端側グリップ、９ａ…孔部、１０…他端側グリップ、１０ａ…孔部、
１１…連結筒、
１２…摺動筒、１２ａ…係止部、１２ｂ…雄螺子部、１２ｃ，１２ｄ…摺動溝、
１２ｅ，１２ｆ…開口部、
１３…摺動筒、１３ａ…係止部、１３ｂ…雄螺子部、１３ｃ，１３ｄ…摺動溝、
１３ｅ，１３ｆ…開口部、
１４…赤色のボールペン体、
１５…青色のボールペン体、１５ａ…筆記先端、
１６，１７，２０，２１…コイルスプリング、
１８…黒色のボールペン体、１８ａ…筆記先端、
１９…緑色のボールペン体、１９ａ…筆記先端、
２２，２３，２４，２５…摺動体、
２２ａ，２３ａ，２４ａ，２５ａ…突部。
【図１】
2008307803.tif 000003
【図２】
2008307803.tif 000004
【図３】
2008307803.tif 000005
【図４】
2008307803.tif 000006